(57)【要約】【課題】バリアングルのどの角度や向きにおいても、タッチパネル操作によるバリアングル表示面の不用意な角度変化を起こさずタッチ検出を可能にした表示制御装置を提供すること。【解決手段】  タッチパネル式の表示手段を備え、筺体に対してヒンジにより移動可能に連結されるバリアングル部と、表示部の筺体に対する位置関係を検出する位置検出手段と、タッチパネルの検出範囲変更手段と、タッチパネルの検出方式を変更可能とするタッチパネル検出方式設定手段と、表示部上にタッチ操作での選択制御を行うアイコンの配置を制御するアイコン配置制御手段を持ち、位置検出手段でバリアングル部が開いていると判断した場合、表示部が撮影者側となるバリアングル部の閉じ状態に対し、タッチパネルの検出範囲変更手段によりタッチの検出領域を狭くするとともに、タッチの検出方式を接触検知方式とは異なるタッチ検出方式に設定すること。【選択図】  図４
2018042156.tif 000002
【特許請求の範囲】
【請求項１】
タッチパネル式の表示手段（１１２）を備え、筺体（２０１）に対してヒンジ（２０６）により移動可能に連結されるバリアングル部（２０７）と、前記表示部（１１２）の前記筺体（２０１）に対する位置関係を検出する位置検出手段（１０９）と、タッチパネル（１１０）の検出範囲変更手段（Ｓ３０６）と、タッチパネルの検出方式を変更可能とするタッチパネル検出方式設定手段（Ｓ３０７）と、前記表示部（１１２）上にタッチ操作での選択制御を行うアイコンの配置を制御するアイコン配置制御手段（Ｓ３０８）を持ち、前記位置検出手段（１０９）でバリアングル部（２０７）が開いていると判断した場合、表示部（１１２）が撮影者側となるバリアングル部（２０７）の閉じ状態に対し、前記タッチパネルの検出範囲変更手段（Ｓ３０６）によりタッチの検出領域を狭くするとともに、タッチの検出方式を接触検知方式（Ｓ３１３）とは異なるタッチ検出方式に設定し、更に前記アイコン配置制御手段（Ｓ３０８）により選択制御アイコン数を減らした配置とすることを特徴とした表示制御装置。
【請求項２】
前記、異なるタッチ検出方式は、近接検知方式または高感度方式（Ｓ３０７）であることを特徴とする請求項１に記載の表示制御装置。
【請求項３】
前記、位置検出手段（１０９）で、バリアングル部（２０７）が開き方向に突き当ての状態では、前記タッチパネルの検出範囲（４０３）とは異なる検出範囲とし、更にタッチの検出方式を表示部（１１２）の画面上下中央部はタッチ検出方式を接触検地方式とし、が面上下部は近接検知方式とすることを特徴とする請求項１に記載の表示制御装置。
【請求項４】
前記、タッチ方式の差異を表示部（１１２）に識別表示することを特徴とする請求項１乃至３のいずれか１項に記載の表示制御装置。
【発明の詳細な説明】
【技術分野】
【０００１】
本発明は、タッチ操作が可能かつ開閉や角度調整可能なバリアングル・タイプの表示部を備える表示制御装置に関し、特にこの表示制御装置の制御方法に関するものである。
【背景技術】
【０００２】
デジタルカメラやビデオカメラ等の撮像装置は、装置の設定や撮影画像の確認用に液晶ディスプレイや有機Ｅ Ｌ ディスプレイなどの表示パネルを備えているのが一般的である。
【０００３】
また、表示パネルを備える筺体が本体部に対して回転可能に取り付けられた、いわゆるバリアングルモニタを備える撮像装置もある。バリアングルモニタは、バリアングルモニタの角度調整により、ロー・アングルまたはハイ・アングル撮影時において撮影対象の視認が可能である。また、表示パネルに対するタッチ操作が可能なタッチパネルを有し、タッチパネルに対するタッチ操作に応じて各種設定や動作指示を行える電子機器も普及してきている。
【０００４】
また、バリアングル表示部のタッチ操作にあたっては、バリアングルが開いた状態でのタッチの誤検出を防止する方法として、例えば、特許文献１ではバリアングルの向きに応じてタッチパネルの有効/無効を制御することが開示されている。
【先行技術文献】
【特許文献】
【０００５】
【特許文献１】特開２００１−５３９９５号公報
【発明の概要】
【発明が解決しようとする課題】
【０００６】
しかしながら、上述の背景技術のバリアングル開状態でのタッチ操作においては、バリアングルの角度や向きを変えて、カメラの構図毎に表示パネルの表示面を撮影者の見やすい位置に合わせたとしても、タッチ操作の押し圧によってバリアングルの角度や向きが不用意に変化してしまう場合がある。
【０００７】
図８は従来例を示す図で、この図の要部を用いて課題を説明する。図中、本体２０１にはヒンジ２０６を介しバリアングル部２０７が取り付けられ、図８（ａ）は開き方向への移動、図８（ｂ）は回転方向への移動を示している。図８（ｃ）及び（ｄ）はカメラの撮影構図毎に撮影者が表示パネル表示面を見やすい位置に設定した状態である。
【０００８】
図８（ｃ）は図８（ａ）まで開かない途中状態を示し、この状態で表示パネルと一体となったタッチパネルを指でＡ方向からタッチ操作した場合、指の押し圧が強いとＢ方向に移動してしまう。図８（ｄ）は回転動作で被写体側に表示パネルの面が向く途中状態を示し、この場合においてもタッチパネルを指でＣ方向からタッチ操作した場合、指の押し圧が強いとＤ方向に移動してしまう。という事になり、撮影者の意図しない方向に表示パネル表示面が移動してしまう場合がある事を示している。
【０００９】
図中、その他の記号については従来例の説明には関係が少なく、後述する実施の形態と同じであるため、ここでの説明は割愛する。また、特許文献に開示された従来技術では、バリアングルの角度や向きによってはタッチの検出ができなくなってしまう。
【００１０】
そこで本発明の目的は、バリアングルのどの角度や向きにおいても、タッチパネル操作によるバリアングル表示面の不用意な角度変化を起こさずタッチ検出を可能にした表示制御装置を提供することである。
【課題を解決するための手段】
【００１１】
上記目的を達成するために、本発明は、タッチパネル式の表示手段（１１２）を備え、筺体（２０１）に対してヒンジ（２０６）により移動可能に連結されるバリアングル部（２０７）と、前記表示部（１１２）の前記筺体（２０１）に対する位置関係を検出する位置検出手段（１０９）と、タッチパネル（１１０）の検出範囲変更手段（Ｓ３０６）と、タッチパネルの検出方式を変更可能とするタッチパネル検出方式設定手段（Ｓ３０７）と、前記表示部（１１２）上にタッチ操作での選択制御を行うアイコンの配置を制御するアイコン配置制御手段（Ｓ３０８）を持ち、前記位置検出手段（１０９）でバリアングル部（２０７）が開いていると判断した場合、表示部（１１２）が撮影者側となるバリアングル部（２０７）の閉じ状態に対し、前記タッチパネルの検出範囲変更手段（Ｓ３０６）によりタッチの検出領域を狭くするとともに、タッチの検出方式を接触検知方式（Ｓ３１３）とは異なるタッチ検出方式に設定し、更に前記アイコン配置制御手段（Ｓ３０８）により選択制御アイコン数を減らした配置とすることを特徴とする。
【発明の効果】
【００１２】
本発明によれば、バリアングルがカメラ本体に対しどの角度や向きにおいても、タッチパネル操作によるバリアングル表示面の不用意な角度変化を起こさず、更にタッチの誤検出も防止しつつタッチ検出を可能とする表示制御装置を提供することができる。
【図面の簡単な説明】
【００１３】
【図１】本発明に係る表示制御装置の構成を示すブロック図
【図２】本発明に係るカメラ本体とバリアングル部の状態を示す図
【図３】本発明の実施形態１による表示制御のフローチャート
【図４】本発明の実施形態１のタッチ検出領域と選択制御アイコンを示す図
【図５】本発明の実施形態２による表示制御のフローチャート
【図６】本発明の実施形態２のタッチ検出方法の差異領域を示す図
【図７】本発明の実施形態２のタッチ検出方式の領域別指標表示を示す図
【図８】従来例を示す図
【発明を実施するための形態】
【００１４】
以下に、本発明に関わるカメラの形態を、添付の図１及び図２に基づいて詳細に説明する。図１は、本発明の実施形態にかかわる表示制御装置の構成を示すブロック図である。図１において、ＣＰＵ１０６は、プログラムデータ記憶部１０７からプログラムを読み込み、これに従ってカメラ全体の動作を制御する演算処理装置である。読み込まれたプログラムは、ＣＰＵ１０６に複数の制御を実行させるための機能を備えており、ＣＰＵ１０６の制御によってモード制御、カメラ制御、記録制御、表示制御などが行える。また、一時記憶部１０３の一部は、ＣＰＵ１０６のワーク領域として機能し、下記の静止画や動画の用のフレームバッファ、ＯＳＤ用フレームバッファを提供する。
【００１５】
カメラ部１０１は、被写体像を光電変換することによるアナログ信号を生成する。よってカメラ部１０１は、被写体光を結像させるための撮影レンズ２０６、撮影レンズ２０６によって結像された被写体像を光電変換する撮像素子、撮像素子を駆動する回路などを備える。
【００１６】
映像処理部１０２は、カメラ部１０１から出力されるアナログ映像信号をデジタル信号に変換し、所定の信号処理を施して静止画や動画データを生成する。
【００１７】
エンコーダ・デコーダ部１０４は、映像処理部１０２からの静止画や動画データを符号化する。エンコーダ・デコーダ部１０４によって符号化された静止画や動画データは、一時記憶部１０３に一旦記憶されたのち、付随する管理データと共に画像記録部１０５に記録される。画像記録部１０５は、ハードディスクやフラッシュメモリなどの内蔵メモリや、メモリーカードなどの着脱可能な記録媒体からなる。
【００１８】
画像再生時は、画像記録部１０５から読み出された符号化された画像データが、一時記憶部１０３を介してエンコーダ・デコーダ部１０４で復号化され、再び一時記憶部１０３内の画像用フレームバッファに展開される。
【００１９】
画像記録部１０５から読み出されたデータは、ＯＳＤ（Ｏｎ  Ｓｃｒｅｅｎ  Ｄｉｓｐｌａｙ）データ、すなわち、撮影画像もしくは再生画像に重畳して表示される文字やＧＵＩ（Ｇｒａｐｈｉｃａｌ  Ｕｓｅｒ  Ｉｎｔｅｒｆａｃｅ）の生成に利用される。そして、生成されたＯＳＤデータは、一時記憶部１０３内のＯＳＤ用フレームバッファに描画される。
【００２０】
静止画及び動画用フレームバッファ及びＯＳＤ用フレームバッファの各内容は、表示制御部１１１で重畳されて、タッチパネル式の表示パネル１１２に表示される。バリアングル部２０７はカメラ本体２０１に対して、ヒンジ２０６で連結され開き方向及び回転方向に動作可能となっている。
【００２１】
パネル状態検出部１０９は、タッチパネル１１０（表示パネル１１２）を前面に持つバリアングル部２０７がカメラ本体２０１に対して、開閉状態及び回転状態を検出し、検出結果をＣＰＵ１０６に出力する。
【００２２】
バリアングル部２０７におけるタッチパネル１１０や、カメラ本体２０１に配置されたレリーズ釦２０２及び撮影モード選択釦や設定釦２０３など、いずれもユーザによる操作指示を受け付けるための操作手段である。
【００２３】
図２は、本発明に係るカメラ本体とバリアングル部の状態を示す図である。図２（ａ）から（ｆ）は、カメラ本体に対してバリアングル部２０７が位置する代表的な状態を表している。
【００２４】
図２で、カメラ本体２０１には被写体の測光や撮影開始用のレリーズ釦２０２、撮影モード選択釦や設定釦２０３、被写体を光学的に観察可能なファインダー２０４が配置されており、撮影用レンズ２０５が取り付けられる。
【００２５】
表示パネル１１２及びタッチパネル１１０を一体的に構成したバリアングル部２０７はカメラ本体とヒンジ２０６にて保持され、カメラ本体に対し開き方向及び回転方向の可動が可能となっている。
図２（ａ）から（ｆ）はカメラ本体に対しバリアングル部２０７が閉じ状態から順次可動していった場合の図を示しており、図２（ａ）は、カメラ本体に対しバリアングルが閉じられ、表示パネルがカメラ本体側に向いた状態を表し、この状態では表示パネル表示及びタッチパネル検出は行われない。
【００２６】
図２（ｂ）は、バリアングル部２０７が閉じ状態から開方向へ移動した状態である。図２（ｃ）は、図２（ｂ）から更に開き方向に移動し、開方向の突き当り位置になった状態である。図２（ｄ）は、図２（ｃ）から回転方向へ移動した状態を表し、回転方向の移動は、図２（ｃ）の位置からのみ可能となっている。図２（ｅ）は、図２（ｃ）から更に回転方向に移動し、表示パネル１１２が被写体側に向いた状態である。図２（ｆ）は、図２（ｅ）から閉じ方向に移動し、カメラ本体に閉じられた状態であるが、この場合は図２（ａ）とは異なり、表示パネルの表示やタッチパネル検出が可能となっている。
【００２７】
［実施例１］
以下、図３及び図４を参照して、本発明の第1の実施例による、表示制御について説明する。
【００２８】
図３は、本発明の実施形態１による表示制御のフローチャートであり、図４は、本発明の実施形態１のタッチ検出領域と選択制御アイコンを示す図である。まずカメラのスタンバイ状態（Ｓ３０１）では、操作ＳＷが押されるかを検出し（Ｓ３０２）、操作ＳＷが押されるまでここで待機する。
【００２９】
カメラの撮影モード選択釦や設定釦２０３などが押されると、バリアングル部２０７の表示パネル１１２の表示面が閉状態かをパネル状態検出部１０９でチェックする（Ｓ３０３）。すなわち、表示面がカメラ本体２０１側に向いているか、撮影者側に向いているかの判断を行う。
【００３０】
ここで、表示面状態が閉、すなわち表示面がカメラ本体２０１側に向いていた場合は、表示パネル表示やタッチパネルの設定を行わずカメラ制御（Ｓ３１１）へ移行する。表示面閉状態検出（Ｓ３０３）で表示面状態が閉以外の状態なら、カメラの設定状態などを表示パネル１１２に表示する（Ｓ３０４）。
【００３１】
更にバリアングル部２０７がカメラ本体２０１に閉じられている状態かを検出し（Ｓ３０５）、表示面が撮影者側に向いている状態であった場合は（Ｓ３１２）へ移行し、タッチ検出領域を図４（ａ）４０１のように、表示パネル１１２と同範囲となる全面に設定する。
【００３２】
図４で、図４（ａ）はバリアングル部２０７の表示パネル１１２の表示面が撮影者側に向いて、カメラ部に閉じられている状態の表示パネル１１２の表示状態及びタッチパネル１１０の検出状態を示している。図４（ｂ）はそれ以外の状態、すなわちバリアングル部２０７が開いている状態の表示パネル１１２の表示状態及びタッチパネル１１０の検出状態を示している。
【００３３】
次にタッチパネルの検出方式を通常に設定する（Ｓ３１３）。本実施例では、静電容量式のタッチパネルを用いている。静電容量式のタッチパネルでは、検出の感度や検出の方式を変更することが可能となっており、例えば検出の方式としては接触検知とするミューチャルスキャン方式や、近接検知とするミューチャルスキャンの高感度設定やホバースキャン方式などがある。
【００３４】
接触検知は、タッチパネル面を指で接触したときにタッチ位置を検出し、近接検知ではタッチパネル面に指を近づけただけで検知することが可能となっている。（Ｓ３１３）での設定は通常使用される接触検知方式に設定される。
【００３５】
続いて、表示パネル上に動作モードや各種設定をタッチ検出する指標として表示されるアイコンを図４（ａ）の４０２のような選択制御アイコンを表示する（Ｓ３１４）。選択制御アイコンは、表示部全面に均等に配置されている。この状態でタッチ操作されるかを検出し（Ｓ３０９）、タッチされるまでこの状態で待機する。タッチ検出（Ｓ３０９）すると、検出されたタッチ座標をＣＰＵ１０６へ送信する。
【００３６】
ＣＰＵ１０６は、受信したタッチの座標から選択制御アイコンのどの位置かを判断し、あらかじめ設定されているアイコン毎のカメラ設定などに従ってカメラ制御する（Ｓ３１１）。（Ｓ３０５）で、バリアングル部２０７がカメラ本体２０１に閉じられていない状態となっていた場合は、（Ｓ３０６）へ移行し、タッチ検出領域を図４（ｂ）４０３のように設定する。
【００３７】
次にタッチパネルの検出方式を上述した近接検知方式に設定する（Ｓ３０７）。続いて、表示パネル上に動作モードや各種設定をタッチ検出する指標として表示されるアイコンを図４（ｂ）の４０４のような選択制御アイコンを表示する（Ｓ３０８）。ここでは、バリアングル部の閉じ状態に対し、タッチ検出領域も狭くなっており、この検出領域に対応して選択制御アイコン少なくしてもほぼ均等に配置される。この状態からタッチ検出（Ｓ３０９）、タッチ座標をＣＰＵへ送信（Ｓ３１０）、カメラ制御（Ｓ３１１）のシーケンスは上述した動作と同じであり、説明は割愛する。
【００３８】
以上のように、実施例１によれば、バリアングル部２０７がカメラ本体２０１に対し開いた状態である場合には、タッチ検出領域を狭くしタッチ検出方式を近接検知とすることにより、タッチパネル操作によるバリアングル表示面の不用意な角度変化を起こさず、更にタッチの誤検出も防止しつつタッチ検出することが可能となる。
【００３９】
［実施例２］
以下、図５及び図６を参照して、本発明の第２の実施例による、表示制御について説明する。図５は、本発明の実施形態２による表示制御のフローチャートであり、図６は、本発明の実施形態２のタッチ検出方法の差異領域を示す図である。
【００４０】
図中（Ｓ３０１）から（Ｓ３１１）は、実施例１の図３で説明した表示制御のフローチャートと同じであるため、差異部分のみの説明とする。（Ｓ３０５）で、バリアングル部２０７がカメラ本体２０１に閉じられていない状態となっていた場合は、更にバリアングル部２０７が開き方向の突き当て位置図６（ａ）の状態であるかを判断する（Ｓ５０１）。
【００４１】
図６において、図６（ａ）はカメラの上面視で、カメラ本体２０１に対しバリアングル部２０７が開き方向に突き当たりの位置であることを示している。（Ｓ５０１）で、バリアングル部２０７が開き方向の突き当て位置と判断した場合は、（Ｓ５０２）へ移行し、タッチ検出領域を図６（ｂ）６０１のように設定する。
【００４２】
次にタッチパネルの検出領域と検出方式の差を図６（ｂ）の６０２と６０３のように領域で分割設定する。ここでは、図６の６０２の領域はタッチの検出方式を接触検知方式にし、図６の６０３の領域は近接検知に設定する（Ｓ５０３）。図６の６０２の領域は、ヒンジ２０６と対抗し表示面の上下中央部分となっている。
【００４３】
続いて、表示パネル上に動作モードや各種設定をタッチ検出する指標として表示されるアイコンを図６（ｃ）の６０４のような選択制御アイコンを表示する（Ｓ５０４）。ここでは、バリアングル部の閉じ状態に対し、タッチ検出領域も狭くなっており、またタッチ検出方式の違いによって、選択制御アイコンの配置と数を異ならすように配置してある。この状態からタッチ検出（Ｓ３０９）、タッチ座標をＣＰＵへ送信（Ｓ３１０）、カメラ制御（Ｓ３１１）のシーケンスは実施例１にて記述した動作と同じであり、説明は割愛する。
【００４４】
図７は、本発明の実施形態２のタッチ検出方式の領域別指標表示を示す図である。図７（ａ）は、バリアングル閉じ状態、図２（ｆ）では、表示パネル１１２の左端７０１にタッチ検出方法が接触検知方式であることを知らせる指標を所定の色で表示する。図７（ｂ）は、バリアングル部２０７が開きの途中状態図２（ｂ）や回転途中状態図２（ｄ）でのタッチ検出方式が近接検知方式であることを知らせる指標を、表示パネル１１２の左端７０２に７０１とは異なる色で表示する。図７（ｃ）は、バリアングル部２０７が開き方向に突き当て位置の場合に、画面上下中央部画タッチ検出方式が接触検知で、その上下部はタッチ検出方式が近接検知であることを表示パネル１１２の左端にそれぞれ７０１と７０２の色で表示する。
【００４５】
以上のように、実施例２によれば、バリアングル部２０７がカメラ本体２０１に対し開き方向の突き当て位置である場合には、タッチ検出領域を狭くし、タッチ検出方式をヒンジと対抗する上下中央部分は接触検知とし、上下部分はタッチ検出方式を近接検知とすることにより、上下中央部分はタッチパネル操作によるバリアングル表示面が動きにくいことを利用し、タッチのしやすさを維持させるようにしている。また、タッチの検出領域も狭くしていることより、タッチの誤検出の防止しつつタッチ検出することが可能となる。
【００４６】
以上、本発明の好ましい実施形態について説明したが、本発明はこれらの実施形態に限定されず、その要旨の範囲内で種々の変形及び変更が可能である。
【符号の説明】
【００４７】
２０１  カメラ本体
２０６  ヒンジ
２０７  バリアングル部
１１０  タッチパネル
１１２  表示パネル
【図１】
2018042156.tif 000003
【図２】
2018042156.tif 000004
【図３】
2018042156.tif 000005
【図４】
2018042156.tif 000006
【図５】
2018042156.tif 000007
【図６】
2018042156.tif 000008
【図７】
2018042156.tif 000009
【図８】
2018042156.tif 000010